(57)【要約】      （修正有）【課題】携帯電話機に着脱可能に接続する第１のコネクタと第２のコネクタを簡易にケース本体内に格納できる携帯電話機用充電器を提供する。【解決手段】携帯電話機用充電器Ａは、第1の開口１１と第２の開口１２とを有するケース本体１と、ケース本体１内に設けられた一次側充電回路とを備え、一次側充電回路は、第１の開口１１を介して出没自在な第１のコネクタ３１と、第２の開口１２を介して出没自在な第２のコネクタ３２とを有し、第１のコネクタ３１が第１の開口１１を介して突出すると共に第２のコネクタ３２が第２の開口１２から突出しない第１の位置と、第２のコネクタ３２が第２の開口１２を介して突出すると共に第１のコネクタ３１が第1の開口１１から突出しない第２の位置と、第１のコネクタ３１が第１の開口１１から突出しないと共に第２のコネクタ３２が第２の開口１２から突出しない第３の位置との間を移動自在に設けられている。【選択図】図８
2008206242.tif 000002
【特許請求の範囲】
【請求項１】
嵌合形状が異なる二種類の携帯電話機の充電端子に接続して前記携帯電話機の充電を行う携帯電話機用充電器であって、
前記二種類の携帯電話機の充電端子は、第１の携帯電話機充電端子と、第２の携帯電話機充電端子であり、
第1の開口と第２の開口とを有するケース本体と、
前記第１の開口と前記第２の開口は対向した位置関係にあり、
前記ケース本体内に設けられ前記携帯電話機に内蔵された蓄電池を充電するための一次側充電回路とを備え、
前記一次側充電回路は、電池と、前記第１の携帯電話機充電端子に着脱可能に接続すると共に前記第１の開口を介して出没自在な第１のコネクタと、前記第２の携帯電話機充電端子に着脱可能に接続すると共に前記第２の開口を介して出没自在な第２のコネクタとを有し、
前記一次側充電回路は、少なくとも前記電池を有し、移動しない非移動部と、少なくとも前記第１のコネクタと前記第２のコネクタとを有し、移動する移動部とに分かれ、
前記移動部は、前記第１のコネクタが前記第１の開口を介して突出すると共に前記第２のコネクタが前記第２の開口から突出しない第１の位置と、
前記第２のコネクタが前記第２の開口を介して突出すると共に前記第１のコネクタが前記第1の開口から突出しない第２の位置と、
前記第１のコネクタが前記第１の開口から突出しないと共に前記第２のコネクタが前記第２の開口から突出しない第３の位置との間を移動自在に設けられていることを特徴とする携帯電話機用充電器。
【請求項２】
非移動部は、電池のプラス端子に接続する第１のプラス側接続端子と、前記電池のマイナス端子に接続する第１のマイナス側接続端子とを備え、
移動部は、前記第１のプラス側接続端子に接触して移動する第２のプラス側接続端子と、前記第１のマイナス側接続端子に接触して移動する第２のマイナス側接続端子とを備え、
ケース本体にノブ取り付け穴が設けられ、このノブ取り付け穴を介して前記ケース本体の外部に突出すると共に前記移動部に固着するノブを有していることを特徴とする請求項１記載の携帯電話機用充電器。
【請求項３】
第１のコネクタの外端と第２のコネクタの外端との距離（Ｌ１）が、第１の開口の外端と第２の開口の外端との距離（Ｌ２）よりも小さいことを特徴とする請求項１記載の携帯電話機用充電器。
【発明の詳細な説明】
【技術分野】
【０００１】
本発明は、嵌合形状が異なる二種類の携帯電話機の充電端子に接続して携帯電話機の充電を行う携帯電話機用充電器に関する。
【背景技術】
【０００２】
携帯電話機は、携帯電話事業者別あるいは通信方式別に充電端子の嵌合形状が異なるものが存在し、これらの携帯電話機の充電に対応するものとして、例えば、各携帯電話機の充電端子の嵌合形状に合った２以上の異なる形状のコネクタを備えた携帯電話機用充電器などがある（例えば、特許文献１参照）。
【特許文献１】特開２００５−３５３３８５号公報
【発明の開示】
【発明が解決しようとする課題】
【０００３】
しかしながら、このような携帯電話機用充電器にあっては、携帯電話機に接続する各コネクタは、未使用時であってもケース本体の外部に露出しており、これらのコネクタを破損等から保護するため、未使用時には各コネクタにキャップ等を装着する必要があり、誤ってキャップを紛失した場合には、保護が十分に図れないという問題があった。
【０００４】
また、同時に各コネクタに２以上に携帯電話機を接続することができるため、該接続により携帯電話機へ送出する充電電流が増加し充電回路が過負荷となるという問題もあった。
【０００５】
本発明は、上述した問題を解決するためになされたものである。
【課題を解決するための手段】
【０００６】
請求項１に係る発明は、嵌合形状が異なる二種類の携帯電話機の充電端子に接続して前記携帯電話機の充電を行う携帯電話機用充電器であって、前記二種類の携帯電話機の充電端子は、第１の携帯電話機充電端子と、第２の携帯電話機充電端子であり、第1の開口と第２の開口とを有するケース本体と、前記第１の開口と前記第２の開口は対向した位置関係にあり、
前記ケース本体内に設けられ前記携帯電話機に内蔵された蓄電池を充電するための一次側充電回路とを備え、前記一次側充電回路は、電池と、前記第１の携帯電話機充電端子に着脱可能に接続すると共に前記第１の開口を介して出没自在な第１のコネクタと、前記第２の携帯電話機充電端子に着脱可能に接続すると共に前記第２の開口を介して出没自在な第２のコネクタとを有し、前記一次側充電回路は、少なくとも前記電池を有し、移動しない非移動部と、少なくとも前記第１のコネクタと前記第２のコネクタとを有し、移動する移動部とに分かれ、前記移動部は、前記第１のコネクタが前記第１の開口を介して突出すると共に前記第２のコネクタが前記第２の開口から突出しない第１の位置と、前記第２のコネクタが前記第２の開口を介して突出すると共に前記第１のコネクタが前記第1の開口から突出しない第２の位置と、前記第１のコネクタが前記第１の開口から突出しないと共に前記第２のコネクタが前記第２の開口から突出しない第３の位置との間を移動自在に設けられている携帯電話機用充電器である。
【０００７】
請求項２に係る発明は、請求項１に記載の携帯電話機用充電器において、非移動部は、電池のプラス端子に接続する第１のプラス側接続端子と、前記電池のマイナス端子に接続する第１のマイナス側接続端子とを備え、移動部は、前記第１のプラス側接続端子に接触して移動する第２のプラス側接続端子と、前記第１のマイナス側接続端子に接触して移動する第２のマイナス側接続端子とを備え、ケース本体にノブ取り付け穴が設けられ、このノブ取り付け穴を介して前記ケース本体の外部に突出すると共に前記移動部に固着するノブを有しているものである。
【０００８】
請求項３に係る発明は、請求項１に記載の携帯電話機用充電器において、第１のコネクタの外端と第２のコネクタの外端との距離（Ｌ１）が、第１の開口の外端と第２の開口の外端との距離（Ｌ２）よりも小さいものである。
【発明の効果】
【０００９】
請求項１に記載の発明によれば、携帯電話機用充電器の一次側充電回路の移動部は、第１のコネクタが第１の開口を介して突出すると共に第２のコネクタが第２の開口から突出しない第１の位置と、第２のコネクタが第２の開口を介して突出すると共に第１のコネクタが第1の開口から突出しない第２の位置と、第１のコネクタが第１の開口から突出しないと共に第２のコネクタが第２の開口から突出しない第３の位置との間を移動自在に設けられているため、携帯電話機に接続していない第１のコネクタまたは／および第２のコネクタをケース本体内に格納することができ、該コネクタの露出による破損等を防止することができる。しかも、携帯電話機用充電器に接続できる携帯電話機は１台であるため、同時に２台の携帯電話機を接続して充電を行った場合に生ずる充電電流の増加による一次側充電回路（充電回路）への過負荷を防止することができる。
【００１０】
請求項２に記載の発明によれば、請求項１に記載の発明の効果に加え、携帯電話機用充電器は、ケース本体にノブ取り付け穴が設けられ、このノブ取り付け穴を介してケース本体の外部に突出すると共に移動部に固着するノブを有しているため、ケース本体の外部からノブを操作することにより、携帯電話機用充電器の一次側充電回路の移動部を簡易に移動させることができる。
【００１１】
請求項３に記載の発明によれば、請求項１に記載の発明の効果に加え、第１のコネクタの外端と第２のコネクタの外端との距離（Ｌ１）が、第１の開口の外端と第２の開口の外端との距離（Ｌ２）よりも小さいため、第１のコネクタが第１の開口から突出しないと共に第２のコネクタが第２の開口から突出しない第３の位置、すなわち、第１のコネクタと第２のコネクタの両者をケース本体内に同時に格納することができる。
【発明を実施するための最良の形態】
【００１２】
本発明の一実施例を、図１〜図９に基づき説明する。Ａは携帯電話機用充電器であり、嵌合形状が異なる二種類の携帯電話機の充電端子に接続して携帯電話機の充電を行うもので、携帯電話機用充電器Ａは、概略的に、ケース本体１と、このケース本体１内に収納される一次側充電回路２とを備えている。
【００１３】
ケース本体１は、一次側充電回路２を保持するもので、図２（ａ）、図２（ｂ）に示したように、第1の開口１１と第２の開口１２とを有し、第１の開口１１と第２の開口１２は対向した位置関係にある。
【００１４】
一次側充電回路２は、ケース本体１内に設けられ携帯電話機Ｂ’、Ｂ”（携帯電話機Ｂ’と携帯電話機Ｂ”とは、互いに充電端子の嵌合形状が異なっている。）に内蔵された蓄電池を充電するものであり、図３に示したように、電池４１と、第１のコネクタ３１と、第２のコネクタ３２とを有している。
【００１５】
電池４１は、携帯電話機Ｂ’、Ｂ”に充電用の電力を供給するものであり、図２（ａ）に示したように、ケース本体１内に取替可能に収納され、例えば単三型、単四型、角形（００６Ｐ）等の乾電池やその他の電池が用いられる。なお、図２（ａ）において、２本の乾電池を、該乾電池のプラス端子とマイナス端子同士を電気的に接続する連結体４２を用いて直列に接続した例を示したが、これらの電池を単独で、あるいは２個以上連結して使用することもできる。
【００１６】
第１のコネクタ３１は、携帯電話機Ｂ’の第１の携帯電話機充電端子Ｂ’１に着脱可能に接続すると共に第１の開口１１を介して出没自在に設けられ、同様に、第２のコネクタ３２は、携帯電話機Ｂ”の第２の携帯電話機充電端子Ｂ”１に着脱可能に接続すると共に第２の開口１２を介して出没自在に設けられている。これらの第１のコネクタ３１および第２のコネクタ３２は、携帯電話機Ｂ’、Ｂ”への充電電流を制御する制御回路３８を介して電池４１に電気的に接続されている。なお、図２（ａ）に示したように、第１のコネクタ３１の外端３１ａと第２のコネクタ３２の外端３２ａとの距離（Ｌ１）が、第１の開口１１の外端１１ａと第２の開口１２の外端１２ａとの距離（Ｌ２）よりも小さく（Ｌ１＜Ｌ２）なるように設けられている。
【００１７】
前述の一次側充電回路２は、図２（ａ）、図３に示したように、電池４１を有しケース本体１に固定されて移動しない非移動部４と、第１のコネクタ３１、第２のコネクタ３２を有しケース本体１に対して移動する移動部３とに分かれている。
【００１８】
この移動部３について詳述すると、該移動部３は、図４に示したように、制御回路３８が設けられた基板３３の一方の側に取付部材３４を介して第１のコネクタ３１が設けられていると共に、基板３３の第１のコネクタ３１と反対の側に取付部材３４を介して第２のコネクタ３２が設けられている。また、取付部材３４にはケース本体１に設けられたガイド１３、１３（図５参照）の溝部１３ａ、１３ａに係合して摺動可能となるように摺動部３４ａが突設しており、この摺動部３４ａがガイド１３に摺動することで、移動部３は、第１のコネクタ３１が第１の開口１１を介して突出すると共に第２のコネクタ３２が第２の開口１２から突出しない第１の位置（図８（ａ）、図８（ｂ）参照）と、第２のコネクタ３２が第２の開口１２を介して突出すると共に第１のコネクタ３１が第1の開口１１から突出しない第２の位置（図９（ａ）、図９（ｂ）参照）と、第１のコネクタ３１が第１の開口１１から突出しないと共に第２のコネクタ３２が第２の開口１２から突出しない第３の位置（図２（ａ）、図２（ｂ）参照）との間を自在に移動することができる。更に、移動部３の基板３３および／または取付部材３４にノブ３５が固着されており、このノブ３５は、ケース本体１に設けられたノブ取り付け穴１０（図１参照）を介してケース本体１の外部に突出している。
【００１９】
次に、移動部３と非移動部４の接続について、図６に基づき説明する。非移動部４は、電池４１のプラス端子に接続する第１のプラス側接続端子４６と、電池４１のマイナス端子に接続する第１のマイナス側接続端子４７とを備えており、移動部３は、第１のプラス側接続端子４６に接触して移動する第２のプラス側接続端子３６と、第１のマイナス側接続端子４７に接触して移動する第２のマイナス側接続端子３７とを備えている。
【００２０】
これらの第１のプラス側接続端子４６、第１のマイナス側接続端子４７、第２のプラス側接続端子３６、第２のマイナス側接続端子３７は、充電電流の電力損失を低減するため、いずれも電気伝導度の高い材料が用いられ、また、第１のプラス側接続端子４６および第１のマイナス側接続端子４７にあっては電池４１との接触電気抵抗を、第２のプラス側接続端子３６および第２のマイナス側接続端子３７にあっては、それぞれ第１のプラス側接続端子４６、第１のマイナス側接続端子４７との接触電気抵抗を低減するため、密着性を良くするようなバネ性を有する材料、例えば、リン青銅などの銅合金が好適に用いられる。
【００２１】
次に、本発明の携帯電話機用充電器Ａの操作方法について説明する。
【００２２】
図１および図２は、未使用時の携帯電話機用充電器Ａを示しており、第１のコネクタ３１が第１の開口１１から突出しないと共に第２のコネクタ３２が第２の開口１２から突出しない状態（第３の位置）となっている。この状態では、Ｌ１＜Ｌ２であるため、移動部３はケース本体１内に格納されている。
【００２３】
そして、充電する携帯電話機の充電端子の嵌合形状に合ったコネクタを選択し、例えば、携帯電話機Ｂ’の第１の携帯電話機充電端子Ｂ’１の嵌合形状に合う第１のコネクタ３１を選択して充電を行う場合は、ノブ３５（図１参照）を摘んで図１の矢印ｍの方向に移動させると、一次側充電回路２の移動部３が移動し、この移動部３に設けられた第１のコネクタ３１が第１の開口１１を介して突出すると共に第２のコネクタ３２が第２の開口１２から突出しない状態（第１の位置）となる（図７、図８（ａ）、図８（ｂ）参照）。そして、第１のコネクタ３１を携帯電話機Ｂ’の第１の携帯電話機充電端子Ｂ’１に嵌合して接続すれば携帯電話機Ｂ’への充電を行うことができる。
【００２４】
充電完了後は、第１の携帯電話機充電端子Ｂ’１から第１のコネクタ３１を取り外し、ノブ３５を摘んで図７の矢印ｎの方向に移動させると、前述の第３の位置に戻って携帯電話機用充電器Ａの動作が終了する。
【００２５】
一方、第２のコネクタ３２を選択して充電を行う場合は、ノブ３５（図１参照）を摘んで図１の矢印ｎの方向に移動させると、一次側充電回路２の移動部３が移動し、この移動部３に設けられた第２のコネクタ３２が第２の開口１２を介して突出すると共に第１のコネクタ３１が第１の開口１１から突出しない状態（第２の位置）となる（図９（ａ）、図９（ｂ）参照）。そして、第２のコネクタ３２を携帯電話機Ｂ”の第２の携帯電話機充電端子Ｂ”１に嵌合して接続すれば携帯電話機Ｂ”に充電を行うことができる。
【００２６】
ところで、本発明において、携帯電話機用充電器Ａの一次側充電回路２に非移動部４と移動部３とを設け、該移動部３が第１の位置と、第２の位置と、第３の位置との間を自在に移動できるようにしたのは、携帯電話機用充電器Ａの未使用時に移動部３が第３の位置において、第１のコネクタ３１と第２のコネクタ３２の両方を同時にケース本体１内に格納することができ、コネクタの露出による破損等を防止することができるためである。また、移動部３を第１の位置に移動させて第１のコネクタ３１に携帯電話機Ｂ’を接続させて充電をする際、第２のコネクタ３２はケース本体１の第２の開口１２から突出していないため他の携帯電話機Ｂ”を誤って接続するのを防止でき、同時に２台の携帯電話機Ｂ’、Ｂ”を接続して充電を行った場合に生ずる充電電流の増加による一次側充電回路２への過負荷を防止することができる。一方、移動部３を第２の位置に移動させて第２のコネクタ３２に携帯電話機Ｂ”を接続させて充電をする場合にも、上述した第1の位置での充電と同様な作用効果を得ることができる。
【図面の簡単な説明】
【００２７】
【図１】本発明の携帯電話機用充電器を示した斜視図である。
【図２】図１の断面図であり、図２（ａ）は図１のＸ−Ｘ線で切断した断面図を、図２（ｂ）は図１のＹ−Ｙ線で切断した断面図をそれぞれ示している。
【図３】図１の一次側充電回路の模式図を示している。
【図４】図１の一次側充電回路の移動部を示した正面図である。
【図５】図１のＸ−Ｘ線で切断したケース本体の断面図である。
【図６】図１の一次側充電回路の移動部と非移動部の要部を示した斜視図である。
【図７】図１の使用状態の一例を示した斜視図である。
【図８】図１の使用状態の一例を示した図であり、図８（ａ）は図１のＸ−Ｘ線で切断した断面図を、図８（ｂ）は図１のＹ−Ｙ線で切断した断面図をそれぞれ示している。
【図９】図１の使用状態の他の例を示した図であり、図９（ａ）は図１のＸ−Ｘ線で切断した断面図を、図９（ｂ）は図１のＹ−Ｙ線で切断した断面図をそれぞれ示している。
【符号の説明】
【００２８】
Ａ          携帯電話機用充電器
Ｂ’、Ｂ”  携帯電話機
Ｂ’１      第１の携帯電話機充電端子
Ｂ”１      第２の携帯電話機充電端子
１          ケース本体
１１        第１の開口
１２        第２の開口
２          一次側充電回路
３          移動部
３１        第１のコネクタ
３２        第２のコネクタ
３５        ノブ
４          非移動部
４１        電池
【図１】
2008206242.tif 000003
【図２】
2008206242.tif 000004
【図３】
2008206242.tif 000005
【図４】
2008206242.tif 000006
【図５】
2008206242.tif 000007
【図６】
2008206242.tif 000008
【図７】
2008206242.tif 000009
【図８】
2008206242.tif 000010
【図９】
2008206242.tif 000011